(57)【要約】【課題】本考案は、簡単かつ迅速に書や絵等を飾ることができると共にデザイン的にも斬新な印象を与えることができる額縁を提供する。【解決手段】額縁１０の枠体１２の背面側には背面板１６が取り付けられている。この背面板１６の正面１６Ｃには装飾板部２０が固定され、額縁１０のデザインに斬新な印象を与えている。また、装飾板部２０には第１保持辺２２と第２保持辺２４が直交して形成されている。前記第１保持辺２２には第１保持溝部２２Ａが形成され、第２保持辺２４には第２保持溝部２４Ａが形成されている。従って、書２５を額縁１０に飾る場合に、書２５と書２５をカバーする透明板２６は装飾板部２０によって保持されるようになっている。【選択図】　　図１
0003099788.tif 000002
【実用新案登録請求の範囲】
【請求項１】
書や絵等の飾物を飾る額縁であって、枠体と、この枠体の背面に設けられた背面板と、この背面板の正面に設けられた装飾板部と、この装飾板部に形成されて額縁に飾られる飾物の少なくとも二辺又は二角部を保持できる保持溝部と、を有してなることを特徴とする額縁。
【請求項２】
書や絵等の飾物を飾る額縁であって、枠体と、この枠体の背面に設けられた背面板と、この背面板の正面に設けられた装飾板部と、この装飾板部に形成されて額縁に飾られる飾物の少なくとも二辺又は二角部を保持できる保持溝部と、前記額縁に飾られた飾物の正面を覆って飾物をカバーすると共に少なくとも二辺又は二角部が前記保持溝部に保持される透明板と、を有してなることを特徴とする額縁。
【請求項３】
書や絵等の飾物を飾る額縁であって、枠体と、この枠体の背面に設けられた背面板と、この背面板の正面に設けられた装飾板部と、この装飾板部に形成された第１保持辺と、前記装飾板部に形成されると共に前記第１保持辺と直交して形成された第２保持辺と、前記背面板と第１保持辺の間に形成されると共に額縁に飾られる飾物の第１辺が差し込まれる左右方向の第１保持溝部と、前記背面板と第２保持辺の間に形成されると共に前記飾物の第２辺が差し込まれる上下方向の第２保持溝部と、を有してなることを特徴とする額縁。
【請求項４】
書や絵等の飾物を飾る額縁であって、枠体と、この枠体の背面に設けられた背面板と、この背面板の正面に設けられた装飾板部と、この装飾板部に形成された第１保持辺と、前記装飾板部に形成されると共に前記第１保持辺と直交して形成された第２保持辺と、前記背面板と第１保持辺の間に形成されると共に額縁に飾られる飾物の第１辺が差し込まれる左右方向の第１保持溝部と、前記背面板と第２保持辺の間に形成されると共に前記飾物の第２辺が差し込まれる上下方向の第２保持溝部と、額縁に飾られた前記飾物の正面を覆って飾物をカバーすると共に前記第１保持溝部に差し込まれると共に前記第２保持溝部に差し込まれる第１辺及び第２辺を設けた透明板と、を有してなることを特徴とする額縁。
【請求項５】
書や絵等の飾物を飾る額縁であって、枠体と、この枠体の背面に設けられた背面板と、この背面板の正面に設けられた第１装飾板部と、前記背面板の正面に前記第１装飾板部と間隔をおいて設けられた第２装飾板部と、前記第１装飾板部に形成された第１傾斜保持辺と、前記第２装飾板部に前記第１傾斜保持辺と平行状態で対向して形成された第２傾斜保持辺と、前記背面板と第１傾斜保持辺の間に形成されると共に額縁に飾られる飾物の第１角部が差し込まれる第１保持溝部と、この第１保持溝部に形成されて前記第１保持溝部に差し込まれた飾物の第１角部が係止されると共に上下方向に向かって形成された第１係止段部と、前記背面板と第２傾斜保持辺の間に形成されると共に額縁に飾られる飾物の第２角部が差し込まれる第２保持溝部と、この第２保持溝部に形成されて前記第２保持溝部に差し込まれた飾物の第２角部が係止されると共に左右方向に向かって形成された第２係止段部と、を有してなることを特徴とする額縁。
【請求項６】
書や絵等の飾物を飾る額縁であって、枠体と、この枠体の背面に設けられた背面板と、この背面板の正面に設けられた第１装飾板部と、前記背面板の正面に前記第１装飾板部と間隔をおいて設けられた第２装飾板部と、前記第１装飾板部に形成された第１傾斜保持辺と、前記第２装飾板部に前記第１傾斜保持辺と平行状態で対向して形成された第２傾斜保持辺と、前記背面板と第１傾斜保持辺の間に形成されると共に額縁に飾られる飾物の第１角部が差し込まれる第１保持溝部と、この第１保持溝部に形成されて前記第１保持溝部に差し込まれた飾物の第１角部が係止されると共に上下方向に向かって形成された第１係止段部と、前記背面板と第２傾斜保持辺の間に形成されると共に額縁に飾られる飾物の第２角部が差し込まれる第２保持溝部と、この第２保持溝部に形成されて前記第２保持溝部に差し込まれた飾物の第２角部が係止されると共に左右方向に向かって形成された第２係止段部と、額縁に飾られた前記飾物の正面を覆って飾物をカバーすると共に前記第１保持溝部に差し込まれて第１係止段部に係止されると共に前記第２保持溝部に差し込まれて第２係止段部に係止される第１角部及び第２角部を設けた透明板と、を有してなることを特徴とする額縁。
【請求項７】
前記枠体を正面視矩形枠状に形成したことを特徴とする請求項１、請求項２、請求項３記載、請求項４、請求項５、請求項６記載の額縁。
【考案の詳細な説明】
【０００１】
【考案の属する技術分野】
本考案は額縁に関し、詳しくは主に書や絵等を簡単に飾ることができると共にデザイン的にも斬新な印象を与える額縁に関する。
【０００２】
【従来の技術】
書や絵等を掲げて飾るための道具として額縁が従来から広く知悉されている。しかし、従来の額縁は枠体の背面側に設けられた背面板に接着剤等の適宜手段で書や絵等を貼り付けて背面板と枠体の正面側に設けられたガラス板とで前記書や絵等を挟んで固定したり、あるいは額縁の背面板に固定された台に適宜手段で書や絵等を貼り付けて飾っている。
従って、前記額縁に書や絵等を飾る場合は額縁の枠体の背面側に着脱可能に設けられた背面板を一旦取り外して背面板や台に書や絵等を貼り付けて再び背面板を枠体に取り付けるため、額縁に書や絵等を飾る場合は作業が煩雑になるという不具合がある。
また、従来の額縁においては額縁の枠体の内側には飾る書や絵等しか表れないため、視覚的に単調になりデザイン的な魅力に乏しいという不具合がある。
【０００３】
【考案が解決しようとする課題】
本考案は上記事実に鑑みなされたものであり簡単かつ迅速に書や絵等を飾ることができると共にデザイン的にも斬新な印象を与えることができる額縁を提供するものである。
【０００４】
【課題を解決するための手段】
請求項１の考案は、書や絵等の飾物を飾る額縁であって、枠体と、この枠体の背面に設けられた背面板と、この背面板の正面に設けられた装飾板部と、この装飾板部に形成されて額縁に飾られる飾物の少なくとも二辺又は二角部を保持できる保持溝部と、を有してなることを特徴としている。
請求項２の考案は、書や絵等の飾物を飾る額縁であって、枠体と、この枠体の背面に設けられた背面板と、この背面板の正面に設けられた装飾板部と、この装飾板部に形成されて額縁に飾られる飾物の少なくとも二辺又は二角部を保持できる保持溝部と、前記額縁に飾られた飾物の正面を覆って飾物をカバーすると共に少なくとも二辺又は二角部が前記保持溝部に保持される透明板と、を有してなることを特徴としている。
請求項３の考案は、書や絵等の飾物を飾る額縁であって、枠体と、この枠体の背面に設けられた背面板と、この背面板の正面に設けられた装飾板部と、この装飾板部に形成された第１保持辺と、前記装飾板部に形成されると共に前記第１保持辺と直交して形成された第２保持辺と、前記背面板と第１保持辺の間に形成されると共に額縁に飾られる飾物の第１辺が差し込まれる左右方向の第１保持溝部と、前記背面板と第２保持辺の間に形成されると共に前記飾物の第２辺が差し込まれる上下方向の第２保持溝部と、を有してなることを特徴としている。
請求項４の考案は、書や絵等の飾物を飾る額縁であって、枠体と、この枠体の背面に設けられた背面板と、この背面板の正面に設けられた装飾板部と、この装飾板部に形成された第１保持辺と、前記装飾板部に形成されると共に前記第１保持辺と直交して形成された第２保持辺と、前記背面板と第１保持辺の間に形成されると共に額縁に飾られる飾物の第１辺が差し込まれる左右方向の第１保持溝部と、前記背面板と第２保持辺の間に形成されると共に前記飾物の第２辺が差し込まれる上下方向の第２保持溝部と、額縁に飾られた前記飾物の正面を覆って飾物をカバーすると共に前記第１保持溝部に差し込まれると共に前記第２保持溝部に差し込まれる第１辺及び第２辺を設けた透明板と、を有してなることを特徴としている。
請求項５の考案は、書や絵等の飾物を飾る額縁であって、枠体と、この枠体の背面に設けられた背面板と、この背面板の正面に設けられた第１装飾板部と、前記背面板の正面に前記第１装飾板部と間隔をおいて設けられた第２装飾板部と、前記第１装飾板部に形成された第１傾斜保持辺と、前記第２装飾板部に前記第１傾斜保持辺と平行状態で対向して形成された第２傾斜保持辺と、前記背面板と第１傾斜保持辺の間に形成されると共に額縁に飾られる飾物の第１角部が差し込まれる第１保持溝部と、この第１保持溝部に形成されて前記第１保持溝部に差し込まれた飾物の第１角部が係止されると共に上下方向に向かって形成された第１係止段部と、前記背面板と第２傾斜保持辺の間に形成されると共に額縁に飾られる飾物の第２角部が差し込まれる第２保持溝部と、この第２保持溝部に形成されて前記第２保持溝部に差し込まれた飾物の第２角部が係止されると共に左右方向に向かって形成された第２係止段部と、を有してなることを特徴としている。
請求項６の考案は、書や絵等の飾物を飾る額縁であって、枠体と、この枠体の背面に設けられた背面板と、この背面板の正面に設けられた第１装飾板部と、前記背面板の正面に前記第１装飾板部と間隔をおいて設けられた第２装飾板部と、前記第１装飾板部に形成された第１傾斜保持辺と、前記第２装飾板部に前記第１傾斜保持辺と平行状態で対向して形成された第２傾斜保持辺と、前記背面板と第１傾斜保持辺の間に形成されると共に額縁に飾られる飾物の第１角部が差し込まれる第１保持溝部と、この第１保持溝部に形成されて前記第１保持溝部に差し込まれた飾物の第１角部が係止されると共に上下方向に向かって形成された第１係止段部と、前記背面板と第２傾斜保持辺の間に形成されると共に額縁に飾られる飾物の第２角部が差し込まれる第２保持溝部と、この第２保持溝部に形成されて前記第２保持溝部に差し込まれた飾物の第２角部が係止されると共に左右方向に向かって形成された第２係止段部と、額縁に飾られた前記飾物の正面を覆って飾物をカバーすると共に前記第１保持溝部に差し込まれて第１係止段部に係止されると共に前記第２保持溝部に差し込まれて第２係止段部に係止される第１角部及び第２角部を設けた透明板と、を有してなることを特徴としている。
請求項７の考案は、前記枠体を正面視矩形枠状に形成したことを特徴としている。
【０００５】
【考案の実施の形態】
図１〜図５には本考案に係る額縁の第１実施例が示されている。
図１に示されるように、第１実施例の額縁１０の枠体１２は上横枠部１２Ａ，下横枠部１２Ｂ，側枠部１２Ｃ，側枠部１２Ｄとによって矩形枠状に形成されている。
図２に示されるように、この枠体１２の背面１２Ｅには背面板収容段部１４が形成され板状の背面板１６の外縁部１６Ａが収容されるようになっている。従って、背面板収容段部１４に背面板１６の外縁部１６Ａを収容すると枠体１２の背面１２Ｅと背面板１６の背面１６Ｂは面一になるようになっている。
図１に示されるように、前記背面板１６の正面１６Ｃには装飾板部２０が固定されている。この装飾板部２０は前記枠体１２の下横枠部１２Ｂ及び側枠部１２Ｄに沿うように直角に折曲がって形成され、額縁１０のデザインに斬新な印象を与えている。
前記装飾板部２０には左右方向の第１保持辺２２と上下方向の第２保持辺２４が直交して形成されている。また、第１保持辺２２には背面板１６と第１保持辺２２の間に上横枠部１２Ａ，下横枠部１２Ｂと平行する左右方向の第１保持溝部２２Ａが形成され、第２保持辺２４には背面板１６と第２保持辺２４の間に側枠部１２Ｃ，側枠部１２Ｄと平行すると共に前記第１保持溝部２２Ａと直交する上下方向の第２保持溝部２４Ａが形成されている。
従って、図３に示されるように飾物としての墨で長方形状の和紙に文字を書いて成る書２５を額縁１０に飾る場合に、書２５の第１辺２５Ａを前記第１保持溝部２２Ａに、書２５の第２辺２５Ｂを前記第２保持溝部２４Ａに差し込むと書２５は二辺（第１辺２５Ａと第２辺２５Ｂ）で前記装飾板部２０によって保持されるようになっている。
また、図４に示されるように、前記書２５の正面側には書２５と略同じ大きさの長方形状の薄いアクリル板で形成された透明板２６が配設されるようになっている。この透明板２６も第１辺２６Ａは前記第１保持溝部２２Ａに、第２辺２６Ｂは前記第２保持溝部２４Ａに差し込むと、透明板２６は書２５をカバーした状態で装飾板部２０に保持されるようになっている。
図２に示されるように、前記枠体１２の背面１２Ｅにはストッパー片３０がピン３２によって回動可能に複数取り付けられている。従って、これらストッパー片３０を回動させて前記背面板１６の背面１６Ｂを押え付けば背面板１６は枠体１２から脱落しないようになっている。
【０００６】
次に、第１実施例の額縁１０の作用について説明する。
本考案の額縁１０に書２５を飾る場合は、図５に示されるように額縁１０の正面側に書２５を配設して、書２５の第１辺２５Ａを前記第１保持溝部２２Ａに、第２辺２５Ｂを前記第２保持溝部２４Ａに差し込んで書２５を装飾板部２０に保持させる（図３参照）。
次に、図５に示されるように前記額縁１０の正面側に透明板２６を配設して透明板２６の第１辺２６Ａを前記第１保持溝部２２Ａに、第２辺２６Ｂを前記第２保持溝部２４Ａに差し込む。これにより、透明板２６は書２５を背面板１６に押し付けた状態で書２５をカバーして装飾板部２０に保持される（図４参照）。
従って、この額縁１０に書２５を飾る場合は額縁１０の正面側から書２５の第１辺２５Ａを額縁１０の第１保持溝部２２Ａに、書２５の第２辺２５Ｂを額縁１０の第２保持溝部２４Ａに差し込むだけで書２５を額縁１０に取り付けて飾ることができる。
この結果、枠体１２から背面板１６を取り外し、背面板１６に接着剤等で書２５を貼り付ける等の作業が不要であるので、簡単かつ迅速に書２５を額縁１０に飾ることができる。
なお、前記書２５は透明板２６によって背面板１６に押さえ付けられた状態でカバーされるので書２５が薄い和紙等であっても丸まったり皺ができたりせず、また、書２５が不用意に動いたりしてしまうこともない。しかも、書２５は透明板２６によってカバーされるため書２５が埃等で汚れたりするのを防止できる。さらに、前記額縁１０の正面には書２５の他に枠体１２の下横枠部１２Ｂ及び側枠部１２Ｄに沿うように直角に折れ曲がって形成された装飾板部２０が表れるので、従来の額縁に比べてデザイン的に斬新な印象を看者に与えることができる。
【０００７】
図６〜図８には本考案に係る額縁の第２実施例が示されている。なお、第１実施例の額縁と同一の構成は同一の符号を用いてその説明を省略する。
図６に示されるように、第２実施例の額縁４０の背面板１６の正面１６Ｃの左上角部には第１装飾板部４２が固定され、左上角部と対向する右下角部には第２装飾板部４４が固定されている。これら第１装飾板部４２と第２装飾板部４４は正面視三角形状に形成され、第１装飾板部４２の第１傾斜保持辺４２Ａと第２装飾板部４４の第２傾斜保持辺４４Ａは平行状態で対向して形成されている。
第１装飾板部４２の第１傾斜保持辺４２Ａの上部には背面板１６と第１傾斜保持辺４２Ａの間に第１保持溝部４６が形成され、第１保持溝部４６の下端には上下方向の第１係止段部４８が形成されている。また、前記第２装飾板部４４の第２傾斜保持辺４４Ａの上部から中間部にかけては背面板１６と第２傾斜保持辺４４Ａの間に第２保持溝部５０が形成され、第２保持溝部５０の下端には前記第１係止段部４８と直交方向で左右方向の第２係止段部５２が形成されている。
図７に示されるように、前記額縁４０に書２５を飾る場合は、額縁４０の正面側から書２５の左上角部の第１角部２５Ｃを第１保持溝部４６に、右下角部の第２角部２５Ｄを第２保持溝部５０に差し込むと共に書２５を下方にスライドさせると第１角部２５Ｃは前記第１係止段部４８に当接して係止され、第２角部２５Ｄは前記第２係止段部５２に当接して係止されるため、前記書２５は第１装飾板部４２及び第２装飾板部４４によって保持される。
次に、図８に示されるように前記額縁４０の正面側から透明板２６の左上角部の第１角部２６Ｃを第１保持溝部４６に、右下角部の第２角部２６Ｄを第２保持溝部５０に差し込むと共に透明板２６を下方にスライドさせると第１角部２６Ｃは前記第１係止段部４８に当接して係止され、第２角部２６Ｄは前記第２係止段部５２に当接して係止される。
これにより、透明板２６は書２５を押し付けた状態で書２５をカバーして前記第１装飾板部４２と第２装飾板部４４によって保持される。
この結果、この額縁４０も書２５を飾る場合に枠体１２から背面板１６を取り外し、背面板１６に書２５を接着剤等で貼り付ける等の作業が不要であるので、簡単かつ迅速に書２５を額縁４０に飾ることができる。
また、前記額縁４０の正面には書２５の他に三角形状の第１装飾板部４２と第２装飾板部４４が表れるので、従来の額縁に比べてデザイン的に斬新な印象を看者に与えることができる。
なお、他の構成、作用、効果は第１実施例の額縁１０と同一であるため、その説明は省略する。
【０００８】
なお、実施例では書２５と共に書２５をカバーした状態で押し付ける透明板２６を設けた場合について説明したが、透明板２６を用いないで額縁１０，４０を使用してもよいことは勿論である（例えば、容易に折れ曲がったりしない素材から成る飾物を額縁１０，４０に飾る場合等である）。
【０００９】
なお、実施例では額縁１０，４０を横長状態で使用した場合について説明したが、額縁１０，４０は縦長状態で使用してもよいことは勿論である。
また、実施例では額縁１０，４０に書２５を飾る場合は額縁１０，４０の正面側から書２５を取り付けるようにしたが、前記枠体１２の背面に設けられているストッパー片３０を回動させて背面板１６を枠体１２から外して書２５を額縁１０，４０に取り付けることもできる。
【００１０】
なお、実施例では額縁１０，４０の枠体１２は矩形枠状に形成したが枠体１２の形状は円環状等他の形状でもよいことは勿論である。
また、実施例では装飾板部２０，第１装飾板部４２，第２装飾板部４４の表面には模様等は施していないが、装飾板部２０，第１装飾板部４２，第２装飾板部４４の表面に模様や彫刻等を施すようにしてもよいことは勿論である。
なお、実施例では装飾板部２０の形状を直角に折り曲げた形状に形成し、第１装飾板部４２，第２装飾板部４４を三角形状に形成したが、前記装飾板部２０，第１装飾板部４２，第２装飾板部４４の形状は他の形状でもよいことは勿論である。
また、実施例では背面板１６は枠体１２に対して着脱可能に取り付けたが、背面板１６は枠体１２に固定して取り付けるタイプでもよいことは勿論である。
なお、実施例では額縁１０に飾物の例として書２５を示したが、飾物は書２５に限定されるものでなく、絵や色紙や写真等でもよいことは勿論である。
また、実施例では透明板２６としてアクリル板を使用したが、透明板であればガラス板等を使用してもよいことは勿論である。
【００１１】
【考案の効果】
本考案の額縁は、書や絵等の飾物の辺や角部を額縁に設けられた保持溝部に差し込むことにより取り付けることができるので、従来の額縁に比べて簡単かつ迅速に飾物を額縁に飾ることができるという優れた効果を有する。
また、本考案の額縁は額縁の正面に飾物の他に装飾板が表れるため、従来の額縁に比べてデザイン的に斬新な印象を看者に与えることができるという優れた効果を有する。
【図面の簡単な説明】
【図１】第１実施例の額縁の正面図である。
【図２】第１実施例の額縁の背面図である。
【図３】第１実施例の額縁の使用状態を示す正面図である。
【図４】第１実施例の額縁の使用状態を示す正面図である。
【図５】第１実施例の額縁の分解斜視図である。
【図６】第２実施例の額縁の正面図である。
【図７】第２実施例の額縁の使用状態を示す正面図である。
【図８】第２実施例の額縁の使用状態を示す正面図である。
【符号の説明】
１０　　額縁
１２　　枠体
１６　　背面板
２０　　装飾板部
２２　　第１保持辺
２２Ａ　第１保持溝部
２４　　第２保持辺
２４Ａ　第２保持溝部
２６　　透明板
【図１】
0003099788.tif 000003
【図２】
0003099788.tif 000004
【図３】
0003099788.tif 000005
【図４】
0003099788.tif 000006
【図５】
0003099788.tif 000007
【図６】
0003099788.tif 000008
【図７】
0003099788.tif 000009
【図８】
0003099788.tif 000010